(57)【要約】  セキュリティ装置のそれぞれ横方向にオフセットされた第１および第２の領域にそれぞれ配置された第１のインク（２１）および第２のインク（２２）であって、第１および第２のインクが、それぞれ、双方とも紫外線スペクトルにおける少なくとも１つの励起波長での照射に応答して発光する各発光材料を含み、第１および第２のインクが、それぞれ、少なくとも１つの励起波長の非存在下で可視光によって照明されたときに互いに略同じ非発光可視色を示し、第１および第２のインクが、それぞれ、可視光と少なくとも１つの励起波長との組み合わせによって照明されたときに非発光可視色とは互いに異なる可視色を示す、第１および第２のインクと、装置の第１および第２の領域から横方向にオフセットされた装置の第３の領域に配置された第３のインク（２３）であって、第３のインクが少なくとも１つの励起波長に応答して発光せず、第３のインクが、少なくとも１つの励起波長の非存在下で可視光によって照明されたときに第１および第２のインクと略同じ非発光可視色を示す、第３のインクと、第１の領域における第１のインクおよび／または第２の領域における第２のインクの１つ以上の部分と部分的に重複するマスキングパターンに配置された第４のインク（２４）であって、第４のインクが少なくとも１つの励起波長に応答して発光せず、第４のインクが、少なくとも１つの励起波長の非存在下で可視光によって照明されたときに第１、第２および第３のインクの非発光可視色とは異なる可視色を示す、第４のインクとを含む、セキュリティ装置が開示される。セキュリティ装置が少なくとも１つの励起波長の非存在下で可視光によって照明されたときに、第１、第２および第３の領域は、非発光可視色の１つの連続パターンとしてともに表示され、第４のインクは、連続パターンを形成する１つのインクよりも多くの存在を隠し、セキュリティ装置が可視光と少なくとも１つの励起波長との組み合わせによって照明されたときに、第１および第２の領域は、互いに且つ連続パターンの残りの部分から視覚的に区別される。
2020519493.tif 000002
【特許請求の範囲】
【請求項１】
セキュリティ装置において、
前記セキュリティ装置のそれぞれ横方向にオフセットされた第１および第２の領域にそれぞれ配置された第１のインクおよび第２のインクであって、前記第１および第２のインクが、それぞれ、双方とも紫外線スペクトルにおける少なくとも１つの励起波長での照射に応答して発光する各発光材料を含み、前記第１および第２のインクが、それぞれ、前記少なくとも１つの励起波長の非存在下で可視光によって照明されたときに互いに略同じ非発光可視色を示し、前記第１および第２のインクが、それぞれ、可視光と前記少なくとも１つの励起波長との組み合わせによって照明されたときに前記非発光可視色とは互いに異なる可視色を示す、第１のインクおよび第２のインクと、
前記装置の前記第１および第２の領域から横方向にオフセットされた前記装置の第３の領域に配置された第３のインクであって、前記第３のインクが前記少なくとも１つの励起波長に応答して発光せず、前記第３のインクが、前記少なくとも１つの励起波長の非存在下で可視光によって照明されたときに前記第１および第２のインクと略同じ非発光可視色を示す、第３のインクと、
前記第１の領域における前記第１のインクおよび／または前記第２の領域における前記第２のインクの１つ以上の部分と部分的に重複するマスキングパターンに配置された第４のインクであって、前記第４のインクが前記少なくとも１つの励起波長に応答して発光せず、前記第４のインクが、前記少なくとも１つの励起波長の非存在下で可視光によって照明されたときに前記第１、前記第２および前記第３のインクの非発光可視色とは異なる可視色を示す、第４のインクとを含み、
前記セキュリティ装置が前記少なくとも１つの励起波長の非存在下で可視光によって照明されたときに、前記第１、前記第２および前記第３の領域が、前記非発光可視色の１つの連続パターンとしてともに表示され、前記第４のインクが、前記連続パターンを形成する１つのインクよりも多くの存在を隠し、前記セキュリティ装置が可視光と前記少なくとも１つの励起波長との組み合わせによって照明されたときに、前記第１および第２の領域が、互いに且つ前記連続パターンの残りの部分から視覚的に区別される、セキュリティ装置。
【請求項２】
前記マスキングパターンが、前記第３の領域内の前記第３のインクの１つ以上の部分にさらに部分的に重複する、請求項１に記載のセキュリティ装置。
【請求項３】
前記マスキングパターンが、前記第１、第２および／または第３の領域の周辺を少なくとも部分的に隠す要素、好ましくは前記周辺と交差する要素を含む、請求項１または請求項２に記載のセキュリティ装置。
【請求項４】
前記マスキングパターンが、視覚的混乱を引き起こし、それにより、前記第１、第２および第３の領域の配置を不明瞭にするように構成される、請求項１〜３のいずれか一項に記載のセキュリティ装置。
【請求項５】
前記第１、第２および／または第３の領域が、互いに離隔された複数のサブ領域を含む、請求項１〜４のいずれか一項に記載のセキュリティ装置。
【請求項６】
少なくとも前記連続パターンの領域において、前記第１および第２の領域が、インクを含まないかまたは前記第１および第２のインクの非発光色と対比する色の１つ以上のギャップによって、互いに、好ましくは前記第３の領域から離隔され、これにより、前記セキュリティ装置が前記少なくとも１つの励起波長の非存在下で可視光によって照明されたときに前記領域の周辺の少なくとも一部が前記連続パターンで見える、請求項１〜５のいずれか一項に記載のセキュリティ装置。
【請求項７】
前記および第２の領域が、前記連続パターンの少なくとも１つの位置において、１ｍｍ未満、好ましくは０．５ｍｍ未満だけ互いに離隔されている、請求項６に記載のセキュリティ装置。
【請求項８】
少なくとも前記連続パターンの領域において、前記第１および第２の領域が互いに当接し、好ましくは前記第３の領域に当接する、請求項１〜７のいずれか一項に記載のセキュリティ装置。
【請求項９】
少なくとも前記連続パターンの領域において、前記第１および第２の領域が互いに部分的に重複し、好ましくは前記第３の領域に部分的に重複する、請求項１〜８のいずれか一項に記載のセキュリティ装置。
【請求項１０】
前記第１および／または第２の領域が、個別にまたは組み合わせて、１つ以上の印、好ましくは１つ以上の英数字、記号、通貨識別子、ロゴまたはマイクロテキストを定義する、請求項１〜９のいずれか一項に記載のセキュリティ装置。
【請求項１１】
前記第１、第２および第３の領域によって形成される前記連続パターンが、規則的または周期的パターン、好ましくは前記セキュリティ装置を横断的にわたって配列されたパターン要素の規則的なグリッドを含み、前記パターン要素の異なるサブセットが、前記第１、第２および第３のインクのそれぞれから形成される、請求項１〜１０のいずれか一項に記載のセキュリティ装置。
【請求項１２】
前記規則的または周期的パターンが、前記セキュリティ装置を横切って空間的に変調され、前記セキュリティ装置が前記少なくとも１つの励起波長の非存在下で可視光によって照明されたときに異なる視覚コントラストの領域を提供し、前記規則的または周期的パターンが、好ましくはハーフトーン画像を示す、請求項１１に記載のセキュリティ装置。
【請求項１３】
前記第４のインクによって形成される前記マスキングパターンが、前記第１、第２および第３のインクによって形成される前記連続パターンの少なくとも一部と連動するように構成される、請求項１〜１２のいずれか一項に記載のセキュリティ装置。
【請求項１４】
前記マスキングパターンが、線パターン、ギョーシェ構造、スクリーン加工、ハーフトーン画像、ポートレートまたは他のグラフィックのいずれかを含む、請求項１〜１３のいずれか一項に記載のセキュリティ装置。
【請求項１５】
前記少なくとも１つの励起波長の非存在下で可視光によって照明されたときに前記第４のインクによって示される可視色が、前記第１、第２および第３のインクの非発光色よりも色相および／または色調が暗い、請求項１〜１４のいずれか一項に記載のセキュリティ装置。
【請求項１６】
前記第１および第２のインクが、２００から４００ｎｍ、好ましくは２３５から３８０ｎｍの範囲の少なくとも１つのＵＶ波長に反応して発光する、請求項１〜１５のいずれか一項に記載のセキュリティ装置。
【請求項１７】
前記第１および第２のインクが、２３５から３８０ｎｍの範囲の任意のＵＶ波長に反応して発光する、請求項１〜１６のいずれか一項に記載のセキュリティ装置。
【請求項１８】
前記第１、第２、第３および第４のインクが、それぞれ、互いに登録されている、請求項１〜１７のいずれか一項に記載のセキュリティ装置。
【請求項１９】
前記第１、第２、第３および第４のインクが、それぞれ、基材上、好ましくは前記基材の同じ表面上に印刷されたインクである、請求項１〜１８のいずれか一項に記載のセキュリティ装置。
【請求項２０】
前記基材が、紙、ポリマーまたは紙−ポリマー複合基材である、請求項１９に記載のセキュリティ装置。
【請求項２１】
前記第１、第２、第３および第４のインクが、それぞれ互いに登録され、それによって前記第１、第２および第３の領域と前記マスキングパターンの相対位置が前記セキュリティ装置のそれぞれにおいて略同じである、請求項１〜２０のいずれか一項に記載の複数のセキュリティ装置。
【請求項２２】
請求項１〜２０のいずれか一項に記載のセキュリティ装置を含むセキュリティ物品において、前記セキュリティ物品が、好ましくは、セキュリティスレッド、ストライプ、パッチまたは箔である、セキュリティ物品。
【請求項２３】
請求項１〜２０のいずれか一項に記載のセキュリティ装置または請求項２２に記載のセキュリティ物品を含むセキュリティ文書において、前記セキュリティ文書が、好ましくは、紙幣、身分証明書、パスポート、小切手、切手、ビザ、債券、証明書またはバウチャーである、セキュリティ文書。
【請求項２４】
セキュリティ装置を製造する方法において、
前記セキュリティ装置のそれぞれ横方向にオフセットされた第１および第２の領域にそれぞれ配置された第１のインクおよび第２のインクであって、前記第１および第２のインクが、それぞれ、双方とも紫外線スペクトルにおける少なくとも１つの励起波長での照射に応答して発光する各発光材料を含み、前記第１および第２のインクが、それぞれ、前記少なくとも１つの励起波長の非存在下で可視光によって照明されたときに互いに略同じ非発光可視色を示し、前記第１および第２のインクが、それぞれ、可視光と前記少なくとも１つの励起波長との組み合わせによって照明されたときに前記非発光可視色とは互いに異なる可視色を示す、第１のインクおよび第２のインクと、
前記装置の前記第１および第２の領域から横方向にオフセットされた前記装置の第３の領域に配置された第３のインクであって、前記第３のインクが前記少なくとも１つの励起波長に応答して発光せず、前記第３のインクが、前記少なくとも１つの励起波長の非存在下で可視光によって照明されたときに前記第１および第２のインクと略同じ非発光可視色を示す、第３のインクと、
前記第１の領域における前記第１のインクおよび／または前記第２の領域における前記第２のインクの１つ以上の部分と部分的に重複するマスキングパターンに配置された第４のインクであって、前記第４のインクが前記少なくとも１つの励起波長に応答して発光せず、前記第４のインクが、前記少なくとも１つの励起波長の非存在下で可視光によって照明されたときに前記第１、前記第２および前記第３のインクの非発光可視色とは異なる可視色を示す、第４のインクとを、基材上に塗布することを備え、
前記セキュリティ装置が前記少なくとも１つの励起波長の非存在下で可視光によって照明されたときに、前記第１、前記第２および前記第３の領域が、前記非発光可視色の１つの連続パターンとしてともに表示され、前記第４のインクが、前記連続パターンを形成する１つのインクよりも多くの存在を隠し、前記セキュリティ装置が可視光と前記少なくとも１つの励起波長との組み合わせによって照明されたときに、前記第１および第２の領域が、互いに且つ前記連続パターンの残りの部分から視覚的に区別される、方法。
【請求項２５】
前記第１、第２、第３および第４のインクが、印刷によって、好ましくは、リソグラフィ、フレキソ、オフセット、凹版またはグラビア印刷によって前記基材に塗布される、請求項２４に記載の方法。
【請求項２６】
前記第１、第２、第３、および第４のインクが、互いに見当合わせして前記基材に塗布される、請求項２４または２５に記載の方法。
【請求項２７】
前記第１、第２、第３および第４のインクが、同じインライン塗布プロセスで前記基材に塗布される、請求項２４〜２６のいずれか一項に記載の方法。
【請求項２８】
請求項２から２３の特徴のいずれかを組み込むように適合された、請求項２４から２７のうちいずれか一項に記載の方法。
【発明の詳細な説明】
【技術分野】
【０００１】
本発明は、紙幣、小切手、パスポート、身分証明書、真正性証明書、収入印紙および他のセキュア文書などのセキュリティ文書を含む有価物を認証するためのセキュリティ装置に関する。そのようなセキュリティ要素を製造する方法も開示されている。
【０００２】
有価物、特に紙幣、小切手、パスポート、身分証明書、証明書および免許証などの有価文書は、多くの場合、偽造者およびその不正コピーおよび／またはそこに含まれる任意のデータの変更を望む人の標的となる。通常、そのようなオブジェクトは、オブジェクトの真正性を確認するための多数の視認可能なセキュリティ装置を備えている。「セキュリティ装置」とは、例えば、標準的に利用可能なコピーまたはスキャン機器を使用することによって可視光のコピーを取得しても正確に再現することができない特徴を意味する。例は、それぞれがセキュアな視覚効果を生成するマイクロテキスト、細線パターン、潜像、ベネチアンブラインドデバイス、レンチキュラデバイス、モアレ干渉デバイスおよびモアレ拡大デバイスなどの１つ以上のパターンに基づく特徴を含む。他の既知のセキュリティ装置は、ホログラム、透かし、エンボス、穿孔、および色シフトまたは発光／蛍光インクの使用を含む。そのような全ての装置に共通するのは、装置が示す視覚効果が、コピーなどの利用可能な複製技術を使用してコピーするのが非常に難しい、または不可能であるということである。磁性材料などの視認できない効果を示すセキュリティ装置も使用することができる。
【０００３】
セキュリティ装置の１つの既知のクラスは、発光物質（この用語は、蛍光またはリン光特性を有する材料を含む）を利用するものである。そのような材料は、典型的には問題の材料の特定の色特性の光を放射することにより、可視スペクトル外の特定の波長での照射に視覚的に反応する。したがって、そのような材料の存在は、セキュリティ装置が可視光のみによって照明される通常の照明環境では容易に検出することができないが、例えば紫外線などの適切な波長の光によってセキュリティ装置を照明することによってテストすることができる。
【０００４】
したがって、発光セキュリティ特徴は、記憶に残り且つ識別しやすい独特で高い視覚的インパクト効果を提供する。しかしながら、発光インクは、商業市場においてより容易に入手できるようになりつつあるため、偽造者にとってアクセス可能である。そのため、偽造をより困難にし、したがってセキュリティレベルを高めるために、より複雑な発光特徴が必要である。
【０００５】
国際公開第２００４／０５０３７６号パンフレットは、異なる観察条件下で異なる色を示す２つの領域を有する発光セキュリティ装置の例を開示している。好ましい実施形態では、セキュリティ装置は、可視光下で観察したときに略同じ可視色を有するそれぞれの領域に配置された２つの発光インクを備え、双方とも、可視光およびＵＶの組み合わせの下で観察したときに異なる可視色（互いから）を示すように色変化を受ける。これは、例えば、各インクについて、可視色素と発光物質の任意の可視色とのバランスをとり、可視照明下で２つのインクを略一致させることにより達成される。その結果は、ＵＶ照明下で強化された２色の外観を有するセキュリティ装置である。さらに、この種の色が一致したインクに偽造者がアクセスすることははるかに困難であるため、装置は、非常に高いセキュリティレベルを達成する。さらに、インクは、標準（非ＵＶ）照明において可視色を有するため、各観察条件下で視認可能なものとの間で正確な見当合わせがある：少なくとも２つの領域の周辺は、可視光のみで観察した場合とＵＶ下で発光した場合は同じである。これは、例えば視覚的に透明なＵＶインクを視認可能に着色されたプリント上（または下）に配置しても、２つの効果の間に必要な見当合わせを達成しないため、任意の他の方法で模倣することは非常に困難である。
【０００６】
この種の装置は、２つの異なるインクの存在が可視（非ＵＶ）照明下で識別することができない場合に特に効果的である。この場合、特徴は、単一のインクから形成されているかのように見え、適切なＵＶ波長によって照明された場合にのみ、２つの異なる領域の存在が明らかになる。これは、少なくとも拙速に観察された場合または綿密な調査がない場合、２つの領域の存在に気付かない結果を有する、２つのインクの色が一致する性質によって大幅に達成される。しかしながら、場合によっては、２つのインクの非ＵＶ色は、正確に一致しない場合および／または２つのインクが異なる光沢レベルを有する場合がある。これは、可視光下でのみ目で検出可能な２つの異なるインクの存在をもたらすことができる。視覚的な区別は微妙であり得るが、これは、隠されている特徴の存在を明らかにすることができ、したがって、そのセキュリティレベルを大幅に低下させる。
【先行技術文献】
【特許文献】
【０００７】
【特許文献１】国際公開第２００４／０５０３７６号パンフレット
【発明の概要】
【０００８】
本発明は、セキュリティ装置において、
セキュリティ装置のそれぞれ横方向にオフセットされた第１および第２の領域にそれぞれ配置された第１のインクおよび第２のインクであって、第１および第２のインクが、それぞれ、双方とも紫外線スペクトルにおける少なくとも１つの励起波長での照射に応答して発光する各発光材料を含み、第１および第２のインクが、それぞれ、少なくとも１つの励起波長の非存在下で可視光によって照明されたときに互いに略同じ非発光可視色を示し、第１および第２のインクが、それぞれ、可視光と少なくとも１つの励起波長との組み合わせによって照明されたときに非発光可視色とは互いに異なる可視色を示す、第１のインクおよび第２のインクと、
装置の第１および第２の領域から横方向にオフセットされた装置の第３の領域に配置された第３のインクであって、第３のインクが少なくとも１つの励起波長に応答して発光せず、第３のインクが、少なくとも１つの励起波長の非存在下で可視光によって照明されたときに第１および第２のインクと略同じ非発光可視色を示す、第３のインクと、
第１の領域における第１のインクおよび／または第２の領域における第２のインクの１つ以上の部分と部分的に重複するマスキングパターンに配置された第４のインクであって、第４のインクが少なくとも１つの励起波長に応答して発光せず、第４のインクが、少なくとも１つの励起波長の非存在下で可視光によって照明されたときに第１、第２および第３のインクの非発光可視色とは異なる可視色を示す、第４のインクとを含み、
セキュリティ装置が少なくとも１つの励起波長の非存在下で可視光によって照明されたときに、第１、第２および第３の領域が、非発光可視色の１つの連続パターンとしてともに表示され、第４のインクが、連続パターンを形成する１つのインクよりも多くの存在を隠し、セキュリティ装置が可視光と少なくとも１つの励起波長との組み合わせによって照明されたときに、第１および第２の領域が、互いに且つ連続パターンの残りの部分から視覚的に区別される、セキュリティ装置を提供する。
【０００９】
セキュリティ装置に、異なる色のマスキングパターンとして配置された第４のインクとともに、ＵＶ反応を有しない第１および第２の（ＵＶ）インクと略同じ色の第３のインクを提供することにより、装置が可視光のみで観察される場合、２つの異なるＵＶインクの存在は、非常に効果的に隠される。ともに、第１、第２および第３の領域は、ＵＶなしで観察される場合、それらが単一のインクの全てから形成されているように見えるという意味で連続パターンを形成する（ただし、このパターンは、その空間レイアウトの観点から連続である必要はないことに留意すべきである）。したがって、ＵＶ特徴は、その横方向の広がりが第３の非発光インクの広がりと容易に区別できないため、一次的に隠される。第４のインクによって形成されたマスキングパターンは、さらに、異なる色の第１および／または第２のＵＶインクの部分を部分的に重複させること（のみ）により、ＵＶ特徴の存在を隠す。この隠蔽効果を達成する任意のパターンは、マスキングパターンとして使用されることができ、例が以下に提供される。
【００１０】
隠蔽効果は、１つ以上の異なる機構の結果とすることができる：第１に、この方法で異なる色のパターンによって第１、第２および第３のインクによって形成された連続パターンを単純に分割すると、目がもはや非常に類似したまたは同一の３色のみしか互いに比較しなくなるという効果を有するが、第４の異なる色とこれらを比較することも必要である。第１、第２および第３のインク自体の色の差異と比較して、第１、第２および第３のインクと第４のインクとのそれぞれの色には大きな差異があり、その結果、いかなるそのような差異も、いかなる光沢レベルの差異と同様に、視覚的に減少する。そのため、目は、対照的なマスキングパターンに強く引き寄せられ、他の３つのインク間で見られるいかなる微妙なパターニングも遠ざけられる。第２に、好ましい実施形態では、マスキングパターンは、視覚的な混乱を誘発し、３つのマッチしたインクのいかなるパターンからも目をそらすように構成されることができる。これは、第１、第２および第３の領域の配置を不明瞭にする。第３に、好ましい実施形態では、マスキングパターンは、第１、第２および／または第３の領域の周辺を少なくとも部分的に隠す要素、好ましくは周辺と交差する要素を含むように構成されることができる。このように、領域の横方向の範囲は、マスキングパターンによって視覚的に分割される。これらの機構の任意の組み合わせを利用することができる。
【００１１】
マスキングパターンは、第１のＵＶインクのみまたは第２のＵＶインクのみと部分的に重複することができるが、より好ましくは双方とも部分的に重複する。マスキングパターンによる第１および／または第２のインクの重複は、部分的のみであり、全体ではないことを理解されたい。すなわち、第１および第２の領域の少なくともいくつかの部分は、マスキングパターンによって覆われないままにされる。同じことが第３の領域にも当てはまり、マスキングパターンは、好ましくは部分的に重複することも好ましい。
【００１２】
本明細書を通して、「可視色」という用語は、記載された照明条件下で人間の肉眼で見ることができる色を意味する。これは、黒、グレー、白、銀などの無彩色の色相と、赤、青、黄、緑、茶などの色彩とを含む。「非発光可視色」という用語は、少なくとも１つの励起波長が存在しない可視光下で観察したときに、第１、第２および第３のインクによって示される色を単に指す。「略同じ」色は、綿密な検査（人間の肉眼による）において互いに同じように見える色であるが、綿密な検査では正確に一致しないことがある。同じ論理により、「異なる」色とは、綿密な検査をしなくても人間の肉眼で見える互いのコントラストを明確に示すものである。差異は、色の色相もしくは色調またはその双方の観点とすることができる。
【００１３】
例えば、好ましい実施形態では、ＣＩＥＬＡＢ色空間（すなわち、ＣＩＥ１９７６Ｌ＊ａ＊ｂ＊色空間）におけるユークリッド距離ΔＥ＊ａｂが３未満、より好ましくは２．３未満である場合、２つの色は、互いに略同じと見なされる。ΔＥ＊ａｂの値は、以下の式を使用して測定される。
【数１】
2020519493.tif 000003
ここで、ΔＬ＊、Δａ＊、Δｂ＊は、それぞれ、Ｌ＊、ａ＊、ｂ＊軸に沿った２色間の距離である（Ｇ．Ｓｈａｒｍａ（２００３年）による「デジタルカラーイメージングハンドブック」（１．７．２編）、ＣＲＣ  Ｐｒｅｓｓ、ＩＳＢＮ０−８４９３−０９００−Ｘ、３０から３２ページを参照）。逆に、ΔＥ＊ａｂが３以上（または、より好ましい実施形態では、２．３以上）である場合、２つの色は異なると見なされる。色差ΔＥ＊ａｂは、米国バージニア州レストンのハンターラボから入手可能なものなど、任意の市販の分光光度計を使用して測定されることができる。
【００１４】
「可視光」とは、約４００から７５０ｎｍである可視スペクトル内の波長を有する光を指す。可視光が白色光である、すなわち、ほぼ全ての可視波長を多かれ少なかれほぼ均等に含むことが最も好ましい。観察条件「少なくとも１つの励起波長の非存在下での可視光による照明」はまた、簡潔にするために、本明細書では「可視光」、「可視光のみ」または「非ＵＶ光」と呼ばれる場合がある。紫外線スペクトルは、通常、約２００ｎｍから約４００ｎｍまでの波長を含む。
【００１５】
第１、第２および／または第３の領域は、セキュリティ装置の単一の連続領域を含むことができる。しかしながら、より好ましい例では、第１、第２および／または第３の領域は、互いに間隔を空けた複数のサブ領域を含む。これは、はるかに複雑な設計を作成することができる。任意の１つの領域のサブ領域は、セキュリティ装置のインクが塗られていない領域からおよび／または他の領域の一方または双方のサブ領域によっておよび／または他の対照的なインクの領域によって互いに離隔されてもよい。
【００１６】
横方向にオフセットされた領域は、離隔され、当接し、さらには部分的に（完全ではない）重複していてもよい。これは、そのように形成された場合、それぞれの領域のサブ領域間にも適用される。領域の相対的な配置はまた、３つの領域によって形成される連続パターンの異なる領域でも異なることができる。
【００１７】
したがって、好ましい実施形態では、少なくとも連続パターンの領域において、第１および第２の領域は、インクを含まないかまたは第１および第２のインクの非発光色と対比する色の１つ以上のギャップによって、互いに、好ましくは第３の領域から離隔され、これにより、セキュリティ装置が少なくとも１つの励起波長の非存在下で可視光によって照明されたときに領域の周辺の少なくとも一部が連続パターンで見える。この配置は、正確に一致する各インクの可視色とそのＵＶ効果との間の見当合わせを強調するために有利である。
【００１８】
それにもかかわらず、ＵＶ光の下での多色の外観が複雑になることができるように、インク間の間隔が小さいことが望ましい。従来の装置では、異なる発光インク間のそのような狭い間隔は、これがインク間の色または光沢レベルの任意の差異を強調する傾向があり、ＵＶ特徴の外観を明らかにするため、困難であることが判明した。しかしながら、本発明により提供されるこれに対する対策を考えると、そのような制限は、ここで解消される。したがって、好ましくは、第１および第２の領域は、連続パターンの少なくとも１つの位置において、１ｍｍ未満、より好ましくは０．５ｍｍ未満だけ互いに離隔されている。
【００１９】
同じ理由で、少なくとも連続パターンの領域では、第１および第２の領域が互いに当接し、好ましくは第３の領域に当接することが望ましい。
【００２０】
さらなる実施形態では、少なくとも連続パターンの領域において、第１および第２の領域は、互いに部分的に重複し、好ましくは部分的に第３の領域に重複する。これは、第１および第２のインクが重複する場合、励起波長によって照射されたときにセキュリティ装置により第３の異なる色が示されるというさらなる利点を提供する。この種の重複は、第１および第２のインクのレインボー印刷によって達成されることができる。
【００２１】
第１および第２の領域は、第１、第２および第３のインクおよび／またはマスキングパターンによって形成される連続パターンの外観または情報コンテンツ（存在する場合）に関連してもしなくてもよい任意のグラフィック形式を有するように（個別にまたはともに）構成されることができる。好ましい実施形態では、第１および／または第２の領域は、個別にまたは組み合わせて、１つ以上の印、好ましくは１つ以上の英数字、記号、通貨識別子、ロゴまたはマイクロテキストを定義する。
【００２２】
いくつかの好ましい実装では、第１、第２および第３の領域によって形成される連続パターンは、規則的または周期的パターン、好ましくはセキュリティ装置を横断的に配列されたパターン要素の規則的なグリッドを含み、パターン要素の異なるサブセットは、第１、第２および第３のインクのそれぞれから形成される。パターン要素は、線（直線またはその他）、細長要素、ドット、正方形などとすることができるが、より好ましくは、印、例えば記号または英数字である。最も好ましくは、そのような印は、マイクロテキストの形態、すなわち肉眼ではすぐに識別できないほど小さすぎるが、綿密な検査および／または拡大で判読可能になる形態である。規則的または周期的パターンは、その領域全体で均一とすることができるが、より有利には、規則的または周期的パターンは、セキュリティ装置を横切って空間的に変調され、セキュリティ装置が少なくとも１つの励起波長の非存在下で可視光によって照明されたときに異なる視覚コントラストの領域を提供する。例えば、規則的または周期的パターンは、ポートレートまたは他のシーンのコンポーネントなどのハーフトーン画像を示すことが好ましい場合がある。例えば、第１、第２および第３のインクによって形成されるハーフトーンパターンは、第４のインクのマスキングパターンによってさらに定義されるポートレートまたは他の写真に対する陰影付けに寄与することができる。この種のグラフィックの例は、国際公開第２０１１／１３５３４４号パンフレットに開示されており、そこでは、代わりに印を含むスクリーン加工が本開示の第１、第２および第３のインクから形成され、第４のインクマスキングパターンがそこに開示されている他のスクリーン加工として形成されることができる。色調の変化は、セキュリティ装置を横切ってスクリーンを形成するパターン要素のサイズ、線の太さまたはインク密度を変更してコントラストの領域を作成することで達成されることができる。
【００２３】
マスキングパターンは、連続パターンを形成する複数のインクの存在を隠す機能を達成する限り、多くの異なる形態をとることができる。いくつかの好ましい実施形態では、第４のインクによって形成されるマスキングパターンは、第１、第２および第３のインクによって形成される連続パターンの少なくとも一部と連動するように構成される。例えば、連続パターンは、幾何学的形状の複雑な配置として可視光に現れる可能性があり、マスキングパターンは、同じ形状を含めるかまたは連続パターンの線に続く要素を含めることによってこれを補完するように見えることがある。
【００２４】
好ましい実施形態では、マスキングパターンは、線パターン、ギョーシェ構造、スクリーン加工、ハーフトーン画像、ポートレートまたは他のグラフィックのいずれかを含むことができる。有利には、マスキングパターンの色調は、情報を伝達するために、例えば上述したハーフトーン画像の少なくともコンポーネントの形態で、セキュリティ装置を横切的にわたって変化することができる。
【００２５】
第４のインクは、その色調、色相またはその双方の点で、第１、第２および第３のインクの非発光色とは異なる任意の色のものとすることができる。しかしながら、特に好ましい実施形態では、少なくとも１つの励起波長の非存在下で可視光によって照明されたときに第４のインクによって示される可視色は、第１、第２および第３のインクの非発光色よりも色相および／または色調が暗い。これは、ＵＶ特徴の存在を特によく隠すとともに、セキュリティ要素に、さらに注意をそらすのに役立つ従来のポートレートまたは他のセキュリティグラフィックの外観に似た外観を与えることもわかっている。
【００２６】
ＵＶ照明下で互いに異なる色を示すために、第１および第２のインクは、異なる発光材料を含む。材料は、異なる反応スペクトルを有することがある（すなわち、それぞれ異なる範囲のＵＶ波長に反応することがある）が、双方の発光材料が共通に反応する少なくとも１つのＵＶ波長を有する必要がある。このようにして、少なくともそのＵＶ波長によって照明された場合、第１および第２のインクは、双方とも反応する。好ましくは、第１および第２のインクは、２００から４００ｎｍ、より好ましくは２３５から３８０ｎｍの範囲の少なくとも１つのＵＶ波長に反応して発光する。より好ましくは、双方の材料に共通する複数の励起波長の波長帯がある。特に好ましい実施形態では、第１および第２のインクは、それぞれ、広範囲のＵＶ波長に反応し、さらに好ましくは、第１および第２のインクは、２３５から３８０ｎｍの範囲の任意のＵＶ波長に反応して発光する。この場合、双方の材料から反応を引き出すために、そのような波長全てを照明照射に含める必要はなく、その範囲内の任意の１つの波長のみを含めることが理解されるべきである。
【００２７】
通常、発光材料が所望のボディカラーを有しない限り、第１および第２のインクは、可視光における所望の色を作成するために、非発光顔料および／または染料などの他の物質をさらに含んでもよい。インク内の発光材料が可視光において視認可能な色を有する場合、第１および第２のインクは、それぞれ、これを考慮し、第３のインクの色と一致させるために、異なるまたは追加の可視顔料および／または染料を含む必要がある場合があるため、これらは、第３のインクの非発光顔料および／または染料と同じであってもなくてもよい。国際公開第２００４／０５０３７６号パンフレットは、第１、第２および第３のインクとして使用するのに適したインク組成物の例を開示しており、適切なインクのさらなる例が以下に示される。
【００２８】
セキュリティ要素は、セキュリティ要素の複雑さをさらに高めるために、例えば異なる色のインクなどの発光性であってもなくてもよい１つ以上のさらなるインクをさらに含むことができる。セキュリティ要素は、代替的にまたは追加的に、そのそれぞれがコードの形態でパターン化または提供されることができる、１つ以上のさらなるセキュリティ強化特徴、最も好ましくは、磁気物質、導電性物質、金属層、ＩＲ吸収材料または光学的可変インク（すなわち、その外観の１つは、視野角によって変化する）などの機械検出可能特徴を含むことができる。これらの材料は、いずれも、必要に応じて、第１、第２、第３および第４のインクの１つに組み込むことができる。例えば、装置のセキュリティレベルをさらに高めるために、第４のインクが磁気インク、金属インク、または光学的可変インクであることが特に有利であろう。マスキングパターンにおける金属インクまたは光学的可変インクの使用はまた、第１、第２および第３のインクから目をさらにそらすことにより、その効果を不明瞭にすることに寄与する。
【００２９】
好ましくは、第１、第２、第３および第４のインクは、それぞれ、互いに登録される。すなわち、そのようなセキュリティ要素のセット内では、４つのインクの相対位置は、各セキュリティ要素に対して略同じになる。本発明はまた、インクがこのように登録される複数のセキュリティ要素を提供する。
【００３０】
有利には、第１、第２、第３および第４のインクは、それぞれ、基材上、好ましくは基材の同じ表面上に印刷されたインクである。基材は、不透明、半透明または透明とすることができる。基材が半透明または透明の場合、装置が透過光または明るい背景において観察されるときに集合的な外観が観察されるように、第１、第２、第３および第４のインクのうちの１つ以上が基材の第１の面に印刷され、他のインクが第２の面に印刷されることができる。それ以外の場合、装置は、反射光において観察するように設計されることができる。基材は、任意の適切な材料のものとすることができるが、好ましくは、紙、ポリマーまたは紙−ポリマー複合基材である。基材が色を有する場合、これは、好ましくは、第１、第２および第３のインクの非発光色のものと、好ましくは第４のインクのものとも対照的な色（白を含む）である必要がある。
【００３１】
基材は、後に他のオブジェクトの中または上に組み込むために、セキュリティスレッドまたは類似物などのセキュリティ物品を形成するのに適したタイプのものとすることができ、その場合、基材は、典型的には、例えば最大約７０ミクロンなど、比較的薄い。あるいは、紙幣などのセキュリティ文書のコアを形成するように基材を適合させることもできる。その場合、典型的には、例えば７０から２００ミクロンなどのより大きな厚さを有する。
【００３２】
本発明は、さらに、上述したようなセキュリティ装置を含むセキュリティ物品を提供し、セキュリティ物品は、好ましくは、セキュリティスレッド、ストライプ、パッチまたは箔である。そのようなセキュリティ装置またはセキュリティ物品を含むセキュリティ文書も提供され、セキュリティ文書は、好ましくは、紙幣、身分証明書、パスポート、小切手、切手、ビザ、債券、証明書またはバウチャーである。
【００３３】
セキュリティ装置を製造する方法において、
セキュリティ装置のそれぞれ横方向にオフセットされた第１および第２の領域にそれぞれ配置された第１のインクおよび第２のインクであって、第１および第２のインクが、それぞれ、双方とも紫外線スペクトルにおける少なくとも１つの励起波長での照射に応答して発光する各発光材料を含み、第１および第２のインクが、それぞれ、少なくとも１つの励起波長の非存在下で可視光によって照明されたときに互いに略同じ非発光可視色を示し、第１および第２のインクが、それぞれ、可視光と少なくとも１つの励起波長との組み合わせによって照明されたときに非発光可視色とは互いに異なる可視色を示す、第１のインクおよび第２のインクと、
装置の第１および第２の領域から横方向にオフセットされた装置の第３の領域に配置された第３のインクであって、第３のインクが少なくとも１つの励起波長に応答して発光せず、第３のインクが、少なくとも１つの励起波長の非存在下で可視光によって照明されたときに第１および第２のインクと略同じ非発光可視色を示す、第３のインクと、
第１の領域における第１のインクおよび／または第２の領域における第２のインクの１つ以上の部分と部分的に重複するマスキングパターンに配置された第４のインクであって、第４のインクが少なくとも１つの励起波長に応答して発光せず、第４のインクが、少なくとも１つの励起波長の非存在下で可視光によって照明されたときに第１、第２および第３のインクの非発光可視色とは異なる可視色を示す、第４のインクとを、基材上に塗布することを備え、
セキュリティ装置が少なくとも１つの励起波長の非存在下で可視光によって照明されたときに、第１、第２および第３の領域が、非発光可視色の１つの連続パターンとしてともに表示され、第４のインクが、連続パターンを形成する１つのインクよりも多くの存在を隠し、セキュリティ装置が可視光と少なくとも１つの励起波長との組み合わせによって照明されたときに、第１および第２の領域が、互いに且つ連続パターンの残りの部分から視覚的に区別される、方法も開示されている。
【００３４】
結果として得られるセキュリティ装置は、既に上述した全ての利点を提供する。
【００３５】
有利には、第１、第２、第３および第４のインクは、印刷によって、好ましくは、リソグラフィ、フレキソ、オフセット、凹版、スクリーン、グラビア印刷、またはインクジェットなどのデジタル印刷技術によって基材に塗布される。
【００３６】
第１、第２、第３および第４のインクは、好ましくは、互いに見当合わせして基材に塗布される。したがって、望ましくは、第１、第２、第３、および第４のインクは、同じインライン塗布プロセスで基材に塗布される。例えば、各インクは、同じ連続印刷プロセスで基材に連続的に塗布されることができるか、またはインクのうちの２つ以上が転写ブランケットまたはローラーに見当合わせして塗布された後、基材に同時に塗布されることができる。特定のインクが基材の異なる面に塗布される場合、これは、同時に行うことができる。
【００３７】
セキュリティ装置、セキュリティ物品、セキュリティ文書、およびそれらの製造方法の例が、添付の図面を参照して説明し、それらの比較例とともに記載されて対比される。
【図面の簡単な説明】
【００３８】
【図１】図１は、セキュリティ文書の実施形態を平面図で概略的に示している。
【図２】図２は、セキュリティ装置の第１の実施形態を示しており、各場合において、図（ａ）は、セキュリティ装置の第１の領域のみを示し、図（ｂ）は、セキュリティ装置の第２の領域のみを示し、図（ｃ）は、セキュリティ装置の第３の領域のみを示し、図（ｄ）は、セキュリティ装置のマスキングパターンのみを示し、図（ｅ）は、可視光のみの下で照明されたときの完全なセキュリティ装置の外観を示し、図（ｆ）は、可視光とＵＶ光との組み合わせの下で照明されたときの完全なセキュリティ装置の外観を示している。
【図３】図３は、セキュリティ装置の第２の実施形態を示しており、各場合において、図（ａ）は、セキュリティ装置の第１の領域のみを示し、図（ｂ）は、セキュリティ装置の第２の領域のみを示し、図（ｃ）は、セキュリティ装置の第３の領域のみを示し、図（ｄ）は、セキュリティ装置のマスキングパターンのみを示し、図（ｅ）は、可視光のみの下で照明されたときの完全なセキュリティ装置の外観を示し、図（ｆ）は、可視光とＵＶ光との組み合わせの下で照明されたときの完全なセキュリティ装置の外観を示している。
【図４】図４は、セキュリティ装置の第３の実施形態を示しており、各場合において、図（ａ）は、セキュリティ装置の第１の領域のみを示し、図（ｂ）は、セキュリティ装置の第２の領域のみを示し、図（ｃ）は、セキュリティ装置の第３の領域のみを示し、図（ｄ）は、セキュリティ装置のマスキングパターンのみを示し、図（ｅ）は、可視光のみの下で照明されたときの完全なセキュリティ装置の外観を示し、図（ｆ）は、可視光とＵＶ光との組み合わせの下で照明されたときの完全なセキュリティ装置の外観を示している。
【図５】図５は、セキュリティ装置の第４の実施形態を示しており、各場合において、図（ａ）は、セキュリティ装置の第１の領域のみを示し、図（ｂ）は、セキュリティ装置の第２の領域のみを示し、図（ｃ）は、セキュリティ装置の第３の領域のみを示し、図（ｄ）は、セキュリティ装置のマスキングパターンのみを示し、図（ｅ）は、可視光のみの下で照明されたときの完全なセキュリティ装置の外観を示し、図（ｆ）は、可視光とＵＶ光との組み合わせの下で照明されたときの完全なセキュリティ装置の外観を示している。
【図６】図６は、セキュリティ装置の比較例を示しており、図（ａ）は、セキュリティ装置の第１の領域のみを示し、図（ｂ）は、セキュリティ装置の第２の領域のみを示し、図（ｃ）は、セキュリティ装置の第３の領域のみを示し、図（ｄ）は、セキュリティ装置のマスキングパターンのみを示し、図（ｅ）は、可視光のみの下で照明されたときの完全なセキュリティ装置の外観を示し、図（ｆ）は、可視光とＵＶ光との組み合わせの下で照明されたときの完全なセキュリティ装置の外観を示している。
【図７】図７は、本発明の実施形態にかかるセキュリティ装置を製造することができる処理ラインの例を概略的に示している。
【図８】図８は、本発明の実施形態にかかるセキュリティ装置を製造することができる処理ラインの例を概略的に示している。
【００３９】
本発明の例にかかるセキュリティ装置は、任意の有価オブジェクト（衣類、コンピュータ機器、食品などを含む）の真正性を確認するために利用することができるが、紙幣、パスポートなどを含むセキュリティ文書での使用に特によく適している。図１は、紙、ポリマーまたはその２つの組み合わせ（複合紙−ポリマー紙幣）の基材を含むことができる紙幣の形態の例示的なセキュリティ文書１を示している。この場合のセキュリティ文書１には、本発明の実施形態にかかる２つのセキュリティ要素１０ａ、１０ｂがそれぞれ設けられている。セキュリティ要素１０ａは、ここでは一連の窓のそれぞれにおいてセキュリティ文書１の基材を通して露出されるように配置されたセキュリティスレッドまたはストライプの形態で、セキュリティ物品２上に配置される。セキュリティ物品が基材に組み込まれる方法は、セキュリティ物品および基材の性質に依存する。例えば、基材が紙である場合、例えば、欧州特許第００５９０５６号明細書または欧州特許出願公開第１１４１４８０号明細書に開示されている方法を使用して、製紙中にセキュリティ物品２が基材に組み込まれ、基材の片側または両側の窓に露出されたままにすることができる。あるいは、セキュリティ物品２は、基材の一方面に接着され、セキュリティ装置の適用の前または後に、基材に構成された開口を介して露出されてもよい。基材が透明（ポリマーなど）の場合、セキュリティ装置は、一方面に貼付され、他方面の基材の透明領域を介して露出されてもよい。さらに他の例では、セキュリティ物品は、例えば接着剤および／またはホットまたはコールドスタンピングによって同じ側から観察されるように窓領域の内側または外側の基材の表面に貼付されたパッチまたは箔とすることができる。これは、不透明、半透明または透明の基材に適用される。一方、セキュリティ装置１０ｂは、例えば、その上に直接印刷することにより、セキュリティ文書１の基材上に直接形成されている。全ての場合において、セキュリティ装置１０ａ、１０ｂと、最終的に担持される基材との間に、プライマー層または紙幣のセキュリティ印刷背景などの他のグラフィック層などの介在層があってもよいことが理解されよう。セキュリティ装置はまた、紙幣などのポリマーまたは紙文書の窓領域に直接印刷されることもできる。
【００４０】
図２（ａ）から（ｆ）は、本発明にかかるセキュリティ装置１０の第１の実施形態を示している。完全なセキュリティ装置１０は、４つのインクを含む（インクは、所望の色効果を示すのに必要な適切な染料および／または顔料を担持するバインダーを含む組成物であり、その例が以下に示される）。第１および第２のインク２１、２２は、ＵＶ波長の非存在下で、可視（好ましくは白色）光のみによって照明されたときに、互いに略同じ可視色を示すように構成される。例えば、第１および第２のインク２１、２２は、双方とも、これらの照明条件下で肉眼で赤く見えることができる。しかしながら、少なくとも１つの紫外線波長（可視光と組み合わせて）の下で、第１および第２のインク２１、２２は、発光し、互いにおよびそれらの非発光色とは異なる可視色をそれぞれ示す。例えば、これらの条件下では、第１のインク２１は黄色に見え、第２のインク２２はオレンジ色または緑色に見えることができる。
【００４１】
第３のインク２３は、可視光のみによって照明されたときに第１および第２のインク２１、２２の非発光色と略同じ可視色を示す非発光インクである。したがって、上記の例では、第３のインク２３は、可視（好ましくは白色）光で赤く見える。第３のインク２３は、ＵＶ波長に反応せず、したがって、ＵＶ照明が導入されたときに色の変化を受けない。
【００４２】
第４のインク２４もまた非発光性であり、可視光のみの下で観察されたときに第１、第２および第３のインク２１、２２、２３の非発光色とは異なる色を示す。例えば、上記の例では、第４のインク２４は、第１、第２、および第３のインクの非発光色と比較して、黒、茶またはより暗い赤の陰影とすることができる。第４のインク２４は、これがより効果的であることがわかっているために、第１、第２および第３のインクの非発光色よりも暗い色であることが好ましいが、これは必須ではない。実際には、第４のインク２４は、色相（彩度）、色調（明度／暗度）または双方に関して、第１、第２および第３のインクの非発光色と著しく異なる（人間の肉眼に対して）任意の色のものとすることができる。
【００４３】
上述したように、好ましい実施形態では、ＣＩＥＬＡＢ色空間における色間の距離ΔＥａｂが３未満、より好ましくは２．３未満である場合、インクによって示される任意の２つの色は、略同じと見なされることができる。逆に、ＣＩＥＬＡＢ色空間における色間の距離ΔＥａｂが３以上、より好ましくは２．３以上である場合、色は、好ましくは互いに異なると見なされる。
【００４４】
第１および第２のインク２１、２２は、それぞれの例が図２（ａ）および２（ｂ）に示されているそれぞれの第１および第２の領域１１、１２に配置されている。したがって、この実施形態では、第１の領域１１は、数字「１」の形態の連続領域を含み、第２の領域１２は、数字「０」の形態の連続領域を含む。第１および第２の領域１１、１２は、互いに横方向にオフセットされており、この場合、数字「１０」をともに形成するように、互いに離隔されている。第３のインク２３は、第１および第２の領域１１、１２から同様に横方向にオフセットされた第３の領域１３に配置され、この例では、第１および第２の領域１１、１２を囲む円形領域を形成する。したがって、この場合、第３の領域１３は、第１および第２の領域のそれぞれに当接する。しかしながら、他の場合には、全ての領域が互いに離隔されるように、領域周辺に沿ってギャップが提供されてもよい。ギャップは、印刷せずに残しておく（すなわち、インクを担持しない）か、または異なるインク、場合によっては第４のインクと同じインクを担持することができる。領域間の任意のそのような間隔は、容易に目立たないように小さいことが好ましい。例えば、好ましい実施形態では、いくつかの位置では、領域間の間隔は、１ｍｍ未満、より好ましくは０．５ｍｍ未満である。
【００４５】
ともに、第１、第２および第３の領域１１、１２および１３は、第１、第２および第３のインク２１、２２、２３の非発光色が略同一であることに起因して、その全てが単一のインク（可視光）から形成されるように見える連続パターンを形成する。この場合、連続パターンは、実質的に塗りつぶされた円である。しかしながら、連続パターンは、空間的に連続である必要はなく、上述した領域間の任意の間隔などのギャップを含むことができることに留意すべきである。「連続パターン」という用語が意味するものは、レイアウトに関係なく、第１、第２および第３のインクを組み合わせて作成されたパターン全体である。
【００４６】
第４のインク２４は、この場合、図２（ｄ）に示すように、セキュリティ装置の中心から発する一組の直線状の放射状線を含むマスキングパターン１４として構成される。第４のインク２４は、少なくとも第１の領域１１および／または第２の領域１２の一部と重複し、この場合、双方の部分および第３の領域１３の一部と重複する。さらに、この例では、マスキングパターン１４は、領域１１、１２、１３の周辺のいくつかを横断する要素を含み、それにより、周辺の一部を隠し、これは好ましいが必須ではない。
【００４７】
図２（ｅ）は、ＵＶ波長の非存在下での可視（好ましくは白色）光の下での完全なセキュリティ装置１０の外観を示している。この例では、セキュリティ装置は、第１、第２および第３のインクの非発光色（例えば、赤）で塗りつぶされた円として表示され、他の色（例えば、茶）のマスキングパターン１４によってオーバーレイされる。第１、第２および第３の領域１１、１２、１３の境界は、参照用に破線で示されているが、これらは、上述したように間隔が設計に含まれていない限り、通常は視認できない。第４の対照的なインク２４によって形成されたマスキングパターン１４は、それ以外の場合、第１、第２および第３のインク２１、２２、２３の色および／または光沢レベルの僅かな差異により見えることがある、下方の円形領域（連続パターン）が異なる領域の複数のインクで形成されるという事実を隠すのに役立つ。これは、第１に、マスキングパターン１４が観察者に３つの同様に着色されたインク２１、２２、２３の間のいかなる差異も減少させる他の著しく異なる色を提示する結果である。さらに、この例では、マスキングパターンは、領域周辺の一部を隠しているため、３つの領域の存在をそらす視覚的な混乱を引き起こすだけでなく、それらの存在を隠すのに役立つ。
【００４８】
図２（ｆ）は、第１および第２のインク２１、２２の双方が反応する組み合わされた可視光と少なくとも１つのＵＶ波長との下でのセキュリティ装置１０の外観を概略的に示している。ここで、第１および第２の領域は、円の残りの部分（連続パターン）と視認可能に区別できるため、それらが形成する数字「１０」が表示される。さらに、数字「１」を形成する第１の領域１１は、数字「０」を形成する第２の領域１２とは異なる色に見えるため、外観は多色である。例えば、数字「１」は、黄色で表示され、数字「０」は、オレンジまたは緑で表示されることができる。この場合、第３の領域１３によって形成される周囲は発光しないため、可視光の強度に応じて暗く見える場合があるが、いずれの方法でも色の変化を受けない（したがって、十分な可視照明が残っている場合、この例では、赤のままになる）。第４のインク２４（これも発光しない）の不透明度に応じて、マスキングパターン１４は、図４（ｆ）において通過する白線によって示すように、発光する第１および第２の領域１１、１２の部分を隠すことができる。
【００４９】
図３は、同じ原理で動作するが、様々な領域およびマスキングパターンが異なるように配置されているセキュリティ装置の第２の実施形態を示している。第１の実施形態と同様に、セキュリティ装置は、それぞれの領域１１、１２、１３に第１、第２および第３のインク２１、２２、２３を含み、これらは全て、可視照明で略同じ非発光色（例えば、赤）を示す。第１および第２のインク２１、２２は、少なくとも１つのＵＶ波長に反応して異なる発光色を示す一方で、第３のインク２３は、ＵＶに反応しない。対照的な色のマスキングパターン２４を形成する第４のインク２４も提供される。図３（ａ）、（ｂ）、および（ｃ）は、それぞれ、第１、第２および第３の領域１１、１２、１３を示しており、各場合において、領域は、複数のサブ領域１１ａ、ｂ；１２ａ、ｂ；１３ａ、ｂを含むことがわかる（わかりやすくするために、それぞれ２つのサブ領域のみにラベルを付けている）。この例では、全てのサブ領域は、同じ形状のパターン要素であり、ここでは円（またはドット）である。サブ領域は、図３（ｅ）からわかるように、組み合わせて（円形）パターン要素の周期的な配列を形成するように、全て同じ規則的なグリッド上に配置される。この連続パターンは、単一のインクから形成されているように見えるが、実際には、パターン要素の一部は、第１のインク２１、第２のインク２２の一部、および第３のインク２３の一部によって形成される。この場合、個々の各領域１１、１２、１３内のサブ領域が（印刷されていない領域または対照的な色によって）互いに離隔されているだけでなく、１つの領域のサブ領域も領域自体が離隔されるように他の領域のものと離隔されていることに留意されたい。ここでも同様に、間隔は、例えば１ｍｍ以下など、小さいことが好ましい。
【００５０】
第４のインク２４から形成されたマスキングパターン１４が図３（ｄ）に示されており、これは、ここでは三角形パターン要素の規則的な配列を含む。第４のインクは、例えば、黒、茶またはより暗い赤などの可視光における第１、第２および第３のインクの色とは異なる任意の色からなることができる。
【００５１】
可視照明下で観察される完全なセキュリティ要素１０が図３（ｅ）に示されており、マスキングパターン１４は、マスキングパターンの（三角形の）パターン要素が、各（円形の）パターン要素の中および間に現れるように、第１、第２および第３の領域１１、１２、１３によって形成される連続パターンと連動することがわかる。結果として生じる効果は、複雑であるが、例えば、赤い円および黒い三角形からなる空間的に略均一なパターンである。マスキングパターン１４は、円形要素の連続パターンを構成する３つの異なるインク２１、２２、２３の存在を隠しており、この場合、これは、３つのインク２１、２２、２３の外観間の直接的な対比を防止する視覚的錯乱と明確な色の提示とによって達成される。この例では、マスキングパターン１４は、領域周辺のいずれとも重複しないが、不明瞭化効果をさらに強化するように変更されることができる。
【００５２】
図４（ｆ）は、可視光に加えて、第１および第２のインク２１、２２が反応する少なくとも１つのＵＶ波長の組み合わせの下で観察したときの完全なセキュリティ装置１０の外観を示している。ここで、第１および第２の領域１１、１２の構成が明らかにされる。したがって、装置１０は、三角形の形態の発光領域を示し、これは、その外側部分が第１のインク２１の第１の領域１１のサブ領域によって形成され、したがって、例えば黄色などの１つの色で表示される一方で、内側部分が第２のインク２２の第２の領域１２のサブ領域によって形成されるため、例えばオレンジまたは緑などの第２の色で表示される。第３の領域１３および印刷されていない領域によって形成された周囲は、発光せず、したがって暗くまたは元の色で見える。ここでも同様に、第４のインク２４の不透明度に応じて、これは、図４（ｆ）の白い三角形によって表されるように、第１および第２の領域の発光を局所的に抑制することができる。
【００５３】
この例では、第１、第２および第３の領域によって形成されるパターン要素は円形であり、マスキングパターンのものは三角形であるが、同じ原理は、線、正方形、幾何学的形状、英数字および通貨識別を含む記号または印（例えば、£、＄、
【数２】
2020519493.tif 000004
）を含む任意の形状のパターン要素によって適用されることができることを理解されたい。また、例えば、パターンのある領域から他の領域への色調のバリエーションを導入するなど、パターンのいずれかまたは双方に空間的変調を導入することも可能である。これは、例えば、パターン要素のサイズ、線幅またはインク密度をある場所から他の場所まで変化させることによって達成されることができる。このようにして、いずれかまたは双方のパターンは、例えば、ポートレートまたは他のグラフィックなどのハーフトーン画像の形態で情報を呈示するように構成されることができる。このように２つの重複したパターンから形成されたそのようなグラフィックの例は、国際公開第２０１１／１３５３４４号パンフレットに見ることができ、そこでは、代わりに印を含むスクリーン加工が本開示の第１、第２および第３のインクから形成され、第４のインクマスキングパターンがそこに開示されている他のスクリーン加工として形成されることができる。
【００５４】
上記の２つの実施形態では、第１、第２および第３のインク２１、２２、２３の非発光色は、赤として例示されており、第１のインク２１は、ＵＶ照明の存在下で黄色に見え、第２のインク２２は、オレンジまたは緑に見えるが、色の任意の組み合わせは、インク組成物の適切な設計を介して実装されることができる。
【００５５】
これらの実施形態で使用するための適切なインク処方の他の例が以下に記載されるが、許容可能な色の一致を達成するために当業者によって容易に理解されるようにいくつかの調整が必要な場合がある。この場合、第１、第２および第３のインクの非発光色は赤であり、第１のインク２１は、可視およびＵＶの組み合わせ照明下で緑に見え、第２のインク２２は、オレンジ色に見える。これらの場合、インク組成物は、発光材料に加えて、発光材料が所望の可視ボディカラーを有しない限り通常必要である１つ以上の可視（非発光）顔料または染料を含むことに留意されたい。これらの例では、各顔料または染料は、従来の組成のバインダー（インク媒体）も含むベースインクの形態で供給されるが、これは別々に添加されることもできる。この場合には、インクの性能を向上させるためのドライヤーなどの添加剤も含まれるが、これは任意である。
【００５６】
第１のインク２１（緑色を発光する赤インク）
９Ｃ３００２Ｂ  青みがかった赤ベースインク（例えば、ＳＩＣＰＡ）１６．８％
９Ｈ００１１Ｂ  透明白ベースインク（例えば、ＳＩＣＰＡ）３２．８％
９Ｃ５０３３Ｂ  黄緑蛍光ベースインク（例えば、ＳＩＣＰＡ）４９．７％
コバルトドライヤー０．７％
【００５７】
第２のインク２２（オレンジ色に発光する赤インク）
９Ｃ３００２Ｂ  青みがかった赤ベースインク（例えば、ＳＩＣＰＡ）１６．８％
９Ｈ００１１Ｂ  透明白ベースインク（例えば、ＳＩＣＰＡ）３２．８％
９Ｃ１９７９Ｂ  黄色蛍光ベースインク（例えば、ＳＩＣＰＡ）４９．７％
コバルトドライヤー０．７％
【００５８】
第３のインク２３（赤色の非発光インク）
９Ｃ３００２Ｂ  青みがかった赤ベースインク（例えば、ＳＩＣＰＡ）１７．７％
９Ｈ００１１Ｂ  透明白ベースインク（例えば、ＳＩＣＰＡ）２９．９％
９Ｎ００１０Ｂ  透明白ベースインク（例えば、ＳＩＣＰＡ）２％
９Ｃ１０００Ｂ  緑がかった黄ベースインク（例えば、ＳＩＣＰＡ）４９．７％
コバルトドライヤー０．７％
【００５９】
このシナリオでは、第４のインクは、例えば茶色などの任意の異なる色の非発光インクとすることができる。第４のインクの例示的な組成は、以下のとおりである：
第４のインク２４（茶色の非発光インク）
９Ｃ１０００Ｂ  緑がかった黄ベースインク（例えば、ＳＩＣＰＡ）２０．０％
９Ｃ２０００Ｂ  オレンジベースインク（例えば、ＳＩＣＰＡ）３２．７％
９Ｃ３００２Ｂ  青みがかった赤ベースインク（例えば、ＳＩＣＰＡ）２３．１％
９Ｃ７００９Ｂ  ブラックＩＲ−透明ベースインク（例えば、ＳＩＣＰＡ）２１．２％
９Ｈ００１１Ｂ  透明白ベースインク（例えば、ＳＩＣＰＡ）１．０％
コバルトドライヤー２．０％
【００６０】
上述した例示的な第１および第２のインク２１、２２は、２３５から３８０ｎｍの範囲の略全てのＵＶ波長に反応するため、双方のインクは、その範囲のいずれか１つのＵＶ波長（および可視光）によって照明されたときに所望の色の変化を表示する。しかしながら、これは必須ではなく、他の場合、第１および第２のインク２１、２２は、共通の少なくとも１つのＵＶ励起波長を有する限り、１つ以上のＵＶ波長にのみ反応する必要がある。
【００６１】
図４および図５は、実際の例示的なアートワークの写真を使用して例示される、本発明にかかるセキュリティ装置の２つのさらなる実施形態を示している。
【００６２】
図４の実施形態では、第１および第２のインク２１、２２は、双方とも、可視光の下でのみ薄緑に見え、さらにＵＶ波長によって照射されたときにそれぞれ赤および黄に見える。第３のインク２３は、非発光性の薄緑インクである。第４のインク２４は、暗緑色の非発光インクである。この実施形態における使用に適した例示的なインク組成物は、以下のとおりである：
第１のインク２１（赤色を発光する緑インク）
９Ｃ１０３３Ｂ  赤みがかった黄ベースインク（例えば、ＳＩＣＰＡ）７．０％
９Ｃ５０００Ｂ  緑ベースインク（例えば、ＳＩＣＰＡ）２．６％
９Ｈ００１１Ｂ  透明白ベースインク（例えば、ＳＩＣＰＡ）３９．８％
９Ｃ３９０１Ｂ  赤色蛍光ベースインク（例えば、ＳＩＣＰＡ）５０．０％
コバルトドライヤー０．６％
第２のインク２２（黄色を発光する緑インク）
９Ｃ１０３３Ｂ  赤みがかった黄ベースインク（例えば、ＳＩＣＰＡ）７．０％
９Ｃ５０００Ｂ  緑ベースインク（例えば、ＳＩＣＰＡ）２．７％
９Ｈ００１１Ｂ  透明白ベースインク（例えば、ＳＩＣＰＡ）６９．７％
９Ｃ１９７９Ｂ  黄色がかった蛍光ベースインク（例えば、ＳＩＣＰＡ）２０．０％
コバルトドライヤー０．６％
第３のインク２３（緑色の非発光インク）
９Ｃ１０３３Ｂ  赤みがかった黄ベースインク（例えば、ＳＩＣＰＡ）１５．４％
９Ｃ５０００Ｂ  緑ベースインク（例えば、ＳＩＣＰＡ）５．８％
９Ｈ００１１Ｂ  透明白ベースインク（例えば、ＳＩＣＰＡ）７７．１％
９Ｎ００１０Ｂ  透明白ベースインク（例えば、ＳＩＣＰＡ）１．０％
コバルトドライヤー０．７％
第４のインク２４（暗緑色の非発光インク）
９Ｃ１０３３Ｂ  赤みがかった黄ベースインク（例えば、ＳＩＣＰＡ）２０．８５％
９Ｃ４００１Ｂ  緑がかった青ベースインク（例えば、ＳＩＣＰＡ）５３．１３％
９Ｈ００１１Ｂ  透明白ベースインク（例えば、ＳＩＣＰＡ）６．９５％
９Ｃ７００９Ｂ  読み取り不能な黒ベース（例えば、ＳＩＣＰＡ）１８．３７％
コバルトドライヤー０．７％
【００６３】
図４（ａ）および（ｂ）に示すように、第１のインク２１および第２のインク２２は、印を組み合わせて表示するように構成されたそれぞれの領域１１、１２に配置される。したがって、第１のインク２１は、数字「２０」の部分とロゴの部分を形成する。例えば、ロゴにおいて、第１のインクは、ロゴ内の人のシルエットの一部とともに楕円形を形成する。第２のインク２２は、数字「２０」の欠落部分およびロゴの欠落部分を提供するように配置される。この設計の変形では、第１および第２の領域は、２つのインクが出会う部分において互いに部分的に重複するように配置されることができる。第３のインク２３は、第３の領域１３に配置され、第１および第２の領域１１、１２に対応する細線セキュリティ印刷パターン欠落部分の形態で構成される。したがって、数字「２０」および同じロゴの形状の部分は、第３の領域１３から除外される。第１および第２の領域１１、１２は、薄緑インクの連続パターンの外観を作成するように、これらの欠落部分を埋める。第４のインク２４から形成されたマスキングパターン１４は、図４（ｄ）に示されており、この場合、第３の領域におけるセキュリティ印刷パターンを補完するように設計されているが、第１および第２の領域とは特に関係のない複雑なギョーシェ線構造の複数の略三角形の領域を含む。この場合、マスキングパターン１４は、第１、第２および第３の領域の一部と重複する。
【００６４】
図４（ｅ）は、可視光（のみ）における完全なセキュリティ装置１０の外観を示している。マスキングパターン１４は、装置の外観を支配しているが、第１、第２および第３のインクによって形成された連続パターンもまた背後に視認可能である。マスキングパターンは、この連続パターンが複数のインクから形成されているという事実を偽装している。
【００６５】
図４（ｆ）に示すように、可視光とＵＶ光とを組み合わせた状態では、第１および第２の領域１１、１２は、ここで装置の残りの部分と視認可能に区別され、それぞれ赤および黄に見える。したがって、数字「２０」とロゴの多色バージョンが表示される。第１および第２のインクが互いに部分的に重複するように設計されている場合、第３のＵＶ色（赤および黄の混合から生じるオレンジ）が重複領域に表示され、装置の複雑さをさらに向上する。
【００６６】
図５の実施形態では、第１および第２のインク２１、２２は、双方とも、可視光のみの下では薄ピンクに見え、ＵＶ波長をさらに照射するとそれぞれ緑およびオレンジに見える。第３のインク２３は、非発光性の薄ピンクインクである。第４のインク２４は、暗いピンクの非発光インクである。
【００６７】
図５（ａ）、（ｂ）および（ｃ）に示すように、第１のインク２１、第２のインク２２および第３のインク２３は、（少なくとも装置の領域に）それぞれ数字「５」、「０」または「５０」のいずれかを示すマイクロテキストの形態でそれぞれが複数のサブ領域を含むそれぞれの領域１１、１２および１３に配置される。各「５０」は、３つのインクを組み合わせて「５０」の連続した配列を生成するように、規則的なグリッドに配列されたパターン要素である。第１のインク２１は、同じ数字「５０」のマクロスケール画像を定義するパターンの選択された「０」ならびにロゴの一部および「ＦＩＦＴＹ」という語の一部を形成するパターンの選択された「５０」を含むパターン要素のサブセットに寄与する。第２のインク２２は、第１のインクの「０」と組み合わされてマクロスケール数字「５０」を完成する選択された「５」と、ロゴおよび語「ＦＩＦＴＹ」を完成する選択された「５０」も含むパターンの他のサブセットに寄与する。他の領域では、第１および第２の領域は、蛾の画像の一部を陰影付けする領域に対するパターン要素に寄与し、残りは、第３の領域１３によって埋められる。第３の領域１３はまた、それらの領域のパターンに寄与する「５０」の半分の色調を介して、さらに３つの蛾の画像を定義する。
【００６８】
図５（ｄ）に示すように、マスキングパターン１４は、蛾の４つの複雑な線画像を含む。この場合、マスキングパターン１４は、第１、第２および第３の領域の一部と重複する。
【００６９】
図５（ｅ）は、可視光（のみ）における完全なセキュリティ装置１０の外観を示している。マスキングパターン１４は、装置の外観を支配しているが、第１、第２および第３のインクによって形成された連続パターンもまた背後に視認可能である。これらの２つのレイヤーを組み合わせて、４つのマルチトーンの蛾の画像の外観を与える。マスキングパターン１４は、背景パターンが複数のインクから形成されているという事実を偽装している。
【００７０】
図５（ｆ）に示すように、可視光とＵＶ光とを組み合わせた状態では、第１および第２の領域１１、１２は、ここで装置の残りの部分と視認可能に区別され、それぞれ緑およびオレンジに見える。したがって、ここで、各場合に多色付けされるマクロスケールの数字「５０」、ロゴおよび「ＦＩＦＴＹ」という語を含む印が表示される。左端の蛾の画像もまた、多色で表示される。
【００７１】
もちろん、図５の実施形態は、代替的に、例えば、前述の実施形態のいずれかに関連して説明したインクを使用して、異なる色で実装されることができる。
【００７２】
完全を期すために、図６は、それぞれ前述の実施形態で説明した種類である４つのインクも含むセキュリティ装置の比較例を示しているが、この場合、第４のインク２４は、発光インク２１、２２のいずれかと重複しないため、それほど大きなマスキング効果を達成しない。同様に、図６（ａ）、（ｂ）および（ｃ）は、第１のインク２１、第２のインク２２および第３のインク２３が、ここでは各サブ領域間にギャップを有するタイルパターンをともに形成する幾何学的形状の形態でそれぞれ複数のサブ領域を含むそれぞれの領域１１、１２および１３に配置されていることを示している。第１および第２のインク２１、２２は、それぞれ、マクロスケール数字「１０」、ロゴ、および「ＴＥＮ」という語、ならびに装飾パターンの一部を形成する。第３のインク２３は、略同じ色の対応するパターンによって残りの領域を満たし、各領域内に印刷されていない線パターンを表示する４つの三角形領域をもたらす。
【００７３】
図６（ｄ）は、対照的な非発光色の第４のインクから形成されたマスキングパターン１４を示している。ここでは、前述の実施形態とは異なり、マスキングパターン１４は、第１、第２および第３のインクの組み合わせから生じる印刷されていない線パターンと正確に一致するように設計されている。したがって、図６（ｅ）に示すように、完全な装置が可視光（のみ）で観察されるとき、マスキングパターン１４は、線パターンを塗りつぶし、各三角形は、この複雑な線パターンを担持した１色の塗りつぶし領域として表示される。
【００７４】
図６（ｆ）は、ＵＶ光が導入されたときのセキュリティ装置１０の外観を示し、第１および第２の領域の存在を明らかにしている。したがって、ここではマクロスケールの数字「１０」、ロゴおよび「ＴＥＮ」という語の多色バージョンが示される。発光材料がパターン１４と同じ位置に存在しないため、マスキングパターン１４に対応する線パターンは、可視のままであることに留意されたい。
【００７５】
上記の実施形態の全てにおいて、４つのインクが互いに登録されることが好ましい。すなわち、複数のセキュリティ装置において、４つの領域は、互いに略同じ相対位置を有する。これは、偽造の難易度を大幅に向上させ、装置の視覚効果を改善する。
【００７６】
ここでは、セキュリティ装置を製造する例示的な方法について、これらの双方ともセキュリティ装置を製造することができる適切なインライン印刷装置を概略的に示している図７および図８を参照して説明する。４つのインクは、任意の適切な印刷技術、好ましくはリソグラフィ、グラビア、フレキソ、オフセットまたは凹版印刷によって適用することができる。好ましくは、少なくとも第１、第２および第３のインク２１、２２、２３は、それらの間の任意の視覚的な区別を最小限にするために同じ技術によって塗布される。第４のインクは、同じ技術または異なる技術によって塗布されてもよい。それにもかかわらず、所望の見当合わせレベルを達成するために、４つのインク全てが１つの連続印刷ラインで基材５に塗布されることが好ましい。
【００７７】
図７の実施形態では、４つの印刷ステーション３１、３２、３３および３４が基材５の搬送経路の同じ側に配置され、インクが基材に順次塗布されるようにそれぞれが基材上に直接印刷するように配置される。したがって、印刷ステーション３１が第１のインク２１を第１の領域１１上に塗布し、印刷ステーション３２が第２のインク２２を第２の領域１２上に塗布し、印刷ステーション３３が第３のインク２３を第３の領域１３上に塗布し、印刷ステーション３４が第４のインク２４をマスキングパターン１４にしたがって塗布するように構成される。第４のインク２４は、重複する必要がある他のインクのいずれかの後（すなわち、少なくとも第１および／または第２のインクの後）に塗布される必要があるが、この順序でインクを基材に塗布することは必須ではないことが理解されるべきである。
【００７８】
基材が透明または半透明（例えば、ポリマー）の場合、４つ全てのインクを基材の同じ側に塗布することが好ましいが、１つ以上のインクを反対側に塗布することもできる。これを説明するために、図７は、印刷ステーション３３の代替位置（３３’と示す）を破線で示している。
【００７９】
図８の代替構成では、４つの印刷ステーション３１から３４は、インクを基材５に直接塗布せず、代わりに転写ローラーまたはブランケット３９上に塗布し、そこから完全なセキュリティ要素が基材５に同時に塗布される。このアプローチの変形では、インクのうちの２つ以上のみが転写ローラー３９に塗布され、残りは、追加の印刷ステーションにおいて基材５に直接塗布される。例として、印刷ステーション３４の代替位置（３４’と示す）を破線で示している。
【００８０】
上記の実施形態の全てにおいて、セキュリティ要素は、装置のセキュリティレベルをさらに高めるために、追加の物質、好ましくは機械読み取り可能な物質を含むことができる。例えば、セキュリティ要素は、磁気、金属、導電性、ＩＲ吸収剤または光学的可変材料を含むことができる。これらのいずれも、必要な視覚効果を損なわない限り、上述したインクのうちの１つ以上に組み込まれることができる。例として、フォースインクは、マスキングパターン１４を形成するために、金属、磁気または光学的可変インクを含むことができる。この目的のために金属または光学的可変インクを使用すると、これは、装置の残りの部分に複数のインクが存在することから目をさらにそらすため、特に有利である。
【図１】
2020519493.tif 000005
【図２（ａ）】
2020519493.tif 000006
【図２（ｂ）】
2020519493.tif 000007
【図２（ｃ）】
2020519493.tif 000008
【図２（ｄ）】
2020519493.tif 000009
【図２（ｅ）】
2020519493.tif 000010
【図２（ｆ）】
2020519493.tif 000011
【図３（ａ）】
2020519493.tif 000012
【図３（ｂ）】
2020519493.tif 000013
【図３（ｃ）】
2020519493.tif 000014
【図３（ｄ）】
2020519493.tif 000015
【図３（ｅ）】
2020519493.tif 000016
【図３（ｆ）】
2020519493.tif 000017
【図４（ａ）】
2020519493.tif 000018
【図４（ｂ）】
2020519493.tif 000019
【図４（ｃ）】
2020519493.tif 000020
【図４（ｄ）】
2020519493.tif 000021
【図４（ｅ）】
2020519493.tif 000022
【図４（ｆ）】
2020519493.tif 000023
【図５（ａ）】
2020519493.tif 000024
【図５（ｂ）】
2020519493.tif 000025
【図５（ｃ）】
2020519493.tif 000026
【図５（ｄ）】
2020519493.tif 000027
【図５（ｅ）】
2020519493.tif 000028
【図５（ｆ）】
2020519493.tif 000029
【図６（ａ）】
2020519493.tif 000030
【図６（ｂ）】
2020519493.tif 000031
【図６（ｃ）】
2020519493.tif 000032
【図６（ｄ）】
2020519493.tif 000033
【図６（ｅ）】
2020519493.tif 000034
【図６（ｆ）】
2020519493.tif 000035
【図７】
2020519493.tif 000036
【図８】
2020519493.tif 000037
【国際調査報告】
2020519493.tif 000038
2020519493.tif 000039